(57)【要約】【課題】簡単な構成で呼気誘導部の姿勢を変化させるネイザルアダプタおよび呼吸管理デバイスを提供する。【解決手段】生体の口Ｍに対向する対向部１２を有し、口Ｍから対向部１２に吐き出された呼気Ｂを導く口側誘導路７ａが形成された口呼気誘導部７と、生体に対して口呼気誘導部７の上側に配置され、口側誘導路７ａで導かれた呼気Ｂを測定するセンサＳを保持する保持部材５が取り付けられる取付部８とを備え、口呼気誘導部７は、取付部８に一体に接続され、取付部８に接続された接続部分１３と対向部１２との間の距離を変更して対向部１２の姿勢を変える姿勢変更部１４を有する。【選択図】図２
2020092749.tif 000002
【特許請求の範囲】
【請求項１】
生体の口に対向する対向部を有し、口から前記対向部に吐き出された呼気を導く口側誘導路が形成された口呼気誘導部と、
前記生体に対して前記口呼気誘導部の上側に配置され、前記口側誘導路で導かれた呼気を測定するセンサを保持する測定用部材または呼気を外部装置に導くチューブ状の測定用部材が取り付けられる取付部と
を備え、
前記口呼気誘導部は、前記取付部に一体に接続され、前記取付部に接続された接続部分と前記対向部との間の距離を変更して前記対向部の姿勢を変える姿勢変更部を有するネイザルアダプタ。
【請求項２】
前記接続部分は、前記口呼気誘導部の一対の側部に配置され、
前記姿勢変更部は、前記一対の側部を結ぶ直線の周りに前記接続部分と前記対向部との間の距離を変更するように、前記接続部分近傍を切り欠いて形成される請求項１に記載のネイザルアダプタ。
【請求項３】
前記姿勢変更部は、前記口呼気誘導部の一対の側部を結ぶ直線の周りに前記接続部分と前記対向部との間を伸縮させる蛇腹形状を有する請求項１または２に記載のネイザルアダプタ。
【請求項４】
前記測定用部材または前記取付部は、前記口側誘導路内に延びて前記対向部の裏面に対向する支持部を有し、
前記対向部の裏面および前記支持部の一方は前記対向部の裏面および前記支持部の他方に向かって突出する突出部を有すると共に前記対向部の裏面および前記支持部の他方は前記突出部に対応して窪んだ受け部を有し、前記突出部が前記受け部に係合することにより前記対向部の姿勢が前記支持部に支持される請求項１〜３のいずれか一項に記載のネイザルアダプタ。
【請求項５】
前記対向部の裏面および前記支持部の他方は、上下方向に配列された複数の前記受け部を有し、前記突出部を異なる前記受け部に係合させることにより前記対向部の姿勢が段階的に変えられる請求項４に記載のネイザルアダプタ。
【請求項６】
前記突出部は、上部の一部が下方に窪んだ凹部を有し、
前記受け部は、前記凹部に係止するように突出する凸部を有する請求項４または５に記載のネイザルアダプタ。
【請求項７】
前記測定用部材は、前記取付部に対して前記生体の反対側に配置され、前記取付部の少なくとも一部を覆うように前記取付部に取り付けられる請求項１〜６のいずれか一項に記載のネイザルアダプタ。
【請求項８】
前記測定用部材は、前記口呼気誘導部および前記取付部より高い剛性を有する請求項１〜７のいずれか一項に記載のネイザルアダプタ。
【請求項９】
前記測定用部材は、前記取付部を上下方向に張るように前記取付部の上部および下部を固定する上固定部および下固定部を有する請求項８に記載のネイザルアダプタ。
【請求項１０】
前記測定用部材は、前記取付部を左右方向に張るように前記取付部の右側部および左側部を固定する右固定部および左固定部を有する請求項８または９に記載のネイザルアダプタ。
【請求項１１】
生体の鼻孔に対応して配置されると共に前記取付部の上部に一体に接続され、鼻孔からの呼気を前記測定用部材に向かって導く鼻側誘導路が形成された鼻呼気誘導部をさらに有する請求項１〜１０のいずれか一項に記載のネイザルアダプタ。
【請求項１２】
請求項１〜１１のいずれか一項に記載のネイザルアダプタと、
チューブ形状を有し、鼻孔および口のうち少なくとも一方に所定のガスを供給するために前記ネイザルアダプタに取り付けられる鼻カニューラとを備える呼吸管理デバイス。
【発明の詳細な説明】
【技術分野】
【０００１】
この発明は、ネイザルアダプタおよび呼吸管理デバイスに係り、特に、生体の口から吐き出された呼気を測定するためのネイザルアダプタおよび呼吸管理デバイスに関する。
【背景技術】
【０００２】
従来、生体の口および鼻から吐き出された呼気を測定するためのネイザルアダプタが実用化されている。ネイザルアダプタは、生体の顔に装着されるもので、例えば、呼気に含まれる二酸化炭素の濃度を測定するセンサを取り付けるための取付部と、取付部の下側において口に対向するように配置された口呼気誘導部とを有する。口呼気誘導部は、口から吐き出された呼気をセンサに向かって導くように形成されており、呼気に含まれる二酸化炭素の濃度をセンサで順次測定することができる。
しかしながら、口呼気誘導部は、口に近接するように配置されるため、口およびその周辺に接触して被検者が不快を感じるおそれがあった。
【０００３】
そこで、生体への口呼気誘導部の接触を抑制する技術として、例えば、特許文献１には、複数の生体情報を取得する場合において、被検者への機器装着作業を効率的に行なうことができかつ被検者が感じる煩わしさを抑制するエアウェイアダプタが提案されている。このエアウェイアダプタは、口呼気誘導部が取付部に支軸を介して回動可能に接続されているため、口呼気誘導部の姿勢を変化させて生体への接触を抑制することができる。
【先行技術文献】
【特許文献】
【０００４】
【特許文献１】特開２０１３−１８０１８２号公報
【発明の概要】
【発明が解決しようとする課題】
【０００５】
しかしながら、取付部に支軸を介して口呼気誘導部を接続すると、取付部と呼気誘導部を別々に作製する必要があり、構成部品が増加するといった問題があった。
【０００６】
この発明は、このような従来の問題点を解消するためになされたもので、簡単な構成で呼気誘導部の姿勢を変化させるネイザルアダプタおよび呼吸管理デバイスを提供することを目的とする。
【課題を解決するための手段】
【０００７】
この発明に係るネイザルアダプタは、生体の口に対向する対向部を有し、口から対向部に吐き出された呼気を導く口側誘導路が形成された口呼気誘導部と、生体に対して口呼気誘導部の上側に配置され、口側誘導路で導かれた呼気を測定するセンサを保持する測定用部材または呼気を外部装置に導くチューブ状の測定用部材が取り付けられる取付部と、を備え、口呼気誘導部は、取付部に一体に接続され、取付部に接続された接続部分と対向部との間の距離を変更して対向部の姿勢を変える姿勢変更部を有するものである。
【０００８】
この発明に係る呼吸管理デバイスは、上記のネイザルアダプタと、チューブ形状を有し、鼻孔および口のうち少なくとも一方に所定のガスを供給するためにネイザルアダプタに取り付けられる鼻カニューラとを備えるものである。
【発明の効果】
【０００９】
この発明によれば、口呼気誘導部が取付部に一体に接続され、姿勢変更部が取付部に接続された接続部分と対向部との間の距離を変更して対向部の姿勢を変えるので、簡単な構成で呼気誘導部の姿勢を変化させるネイザルアダプタおよび呼吸管理デバイスを提供することが可能となる。
【図面の簡単な説明】
【００１０】
【図１】この発明の実施の形態１に係る呼吸管理デバイスの構成を示す図である。
【図２】ネイザルアダプタの構成を示す図である。
【図３】図２のＡ−Ａ線断面図である。
【図４】保持部材の構成を示す斜視図である。
【図５】対向部の裏面の構成を示す図である。
【図６】対向部の姿勢を変化させた様子を示す側面図である。
【図７】受け部に形成された凸部が突出部の凹部に係止する様子を示す断面図である。
【図８】実施の形態２の口呼気誘導部の構成を示す側面図である。
【図９】実施の形態３の支持部の構成を示す斜視図である。
【図１０】実施の形態４のネイザルアダプタの構成を示す正面図である。
【発明を実施するための形態】
【００１１】
以下、この発明の実施の形態を添付図面に基づいて説明する。
実施の形態１
図１に、この発明の実施の形態１に係るネイザルアダプタを備えた呼吸管理デバイスの構成を示す。この呼吸管理デバイスは、生体の顔Ｆに装着されるもので、ネイザルアダプタ１と、一対の鼻カニューラ２と、固定バンド部３とを有する。
【００１２】
ネイザルアダプタ１は、顔Ｆの正面に配置されるアダプタ本体４と、アダプタ本体４に取り付けられる保持部材５とを有する。
アダプタ本体４は、生体の鼻孔Ｎに対応して配置される鼻呼気誘導部６と、生体の口Ｍに対応して配置される口呼気誘導部７と、鼻呼気誘導部６および口呼気誘導部７の間に配置される取付部８とを有する。ここで、鼻呼気誘導部６、口呼気誘導部７および取付部８は、可撓性材料で一体に形成されている。可撓性材料としては、例えば、塩化ビニル樹脂などが挙げられる。
【００１３】
鼻呼気誘導部６は、鼻孔Ｎから吐き出された呼気を保持部材５に向かって導くもので、取付部８から２つの鼻孔Ｎに向かって分岐して延びるように形成されている。
取付部８は、生体に対して左右方向Ｘに延びるように配置され、その中央部を覆うように保持部材５が取り付け可能に形成されている。また、取付部８は、左右の側部に鼻カニューラ２を取り付け可能に形成されると共に、左右の側部近傍に固定バンド部３を取り付け可能に形成されている。
口呼気誘導部７は、口Ｍから吐き出された呼気を保持部材５に向かって導くもので、口Ｍの前側を上下方向Ｙにわたるように形成されている。
【００１４】
保持部材５は、鼻呼気誘導部６および口呼気誘導部７で導かれた呼気を測定するセンサＳを保持するもので、センサＳを着脱可能に形成されている。保持部材５は、鼻呼気誘導部６、口呼気誘導部７および取付部８より高い剛性を有するように形成されている。ここで、保持部材５は、取付部８に対して生体の顔Ｆの反対側に配置され、取付部８を支持するために取付部８の一部を覆うように取付部８に取り付けられている。保持部材５は、例えば、熱可塑性樹脂などから構成することができる。この保持部材５は、本発明における測定用部材を構成するものである。
なお、センサＳとしては、例えば、呼気に含まれる二酸化炭素の濃度を測定するものを用いることができる。
【００１５】
一対の鼻カニューラ２は、それぞれチューブ形状を有し、鼻孔Ｎに所定のガスを供給するために一対の鼻カニューラ２の一端部が取付部８の左右の側部にそれぞれ取り付けられている。鼻カニューラ２は、所定のガスを供給する図示しないガス供給装置まで延びるように形成されて、他端部がガス供給装置に接続されている。ガス供給装置は、例えば、酸素を供給するものを用いることができる。ここで、取付部８の上部には鼻孔Ｎおよび口Ｍに向かって開口したガス供給部９ａおよび９ｂが形成されており、鼻カニューラ２により取付部８に導かれた酸素がガス供給部９ａを介して鼻孔Ｎ周辺に放出されると共にガス供給部９ｂを介して口Ｍ周辺に放出される。
固定バンド部３は、ネイザルアダプタ１を生体の顔Ｆに固定するためのもので、顔Ｆの周囲を囲むように延びて両端部が取付部８に取り付けられている。
【００１６】
次に、ネイザルアダプタ１の構成について詳細に説明する。
図２（ａ）および（ｂ）に示すように、鼻呼気誘導部６が取付部８の上部に一体に接続されると共に、口呼気誘導部７が取付部８の下部に一体に接続されている。取付部８は、保持部材５の後方を、すなわち保持部材５に対して顔Ｆ側を左右方向Ｘに延びるように形成されている。一方、保持部材５は、取付部８の前方を取付部８に対して隙間を開けて左右方向Ｘに延びるように形成された背板部１５を有する。これにより、取付部８と背板部１５との間に鼻孔Ｎおよび口Ｍに向かって開口したガス供給部９ａおよび９ｂが形成されることになる。
【００１７】
また、取付部８の右側部には取付孔１０ａが設けられ、取付部８の左側部には取付孔１０ｂが設けられている。そして、保持部材５の背板部１５には、取付孔１０ａに挿入可能に右固定部１１ａが設けられると共に取付孔１０ｂに挿入可能に左固定部１１ｂが設けられている。この右固定部１１ａが取付孔１０ａに挿入されることにより取付部８の右側部が右方向に張るように保持部材５に固定され、左固定部１１ｂが取付孔１０ｂに挿入されることにより取付部８の左側部が左方向に張るように保持部材５に固定される。
【００１８】
また、取付部８の上部には取付孔１０ｃが設けられ、取付部８の下部には取付孔１０ｄが設けられている。そして、保持部材５には、取付孔１０ｃに対応して上固定部１１ｃが設けられると共に取付孔１０ｄに対応して下固定部１１ｄが設けられている。この上固定部１１ｃが取付孔１０ｃに挿入されることにより取付部８の上部が上方向に張るように保持部材５に固定され、下固定部１１ｄが取付孔１０ｄに挿入されることにより取付部８の下部が下方向に張るように保持部材５に固定される。
【００１９】
口呼気誘導部７は、対向部１２と、接続部分１３と、姿勢変更部１４とを有する。
対向部１２は、保持部材５の直下に延びると共に前方に向かって湾曲したカップ形状に形成され、生体の口Ｍに対向するように配置される。
接続部分１３は、口呼気誘導部７の一対の側部にそれぞれ配置され、取付部８に一体に接続されている。すなわち、口呼気誘導部７は、一対の側部のみで取付部８に接続され、その間の部分は接続されずに取付部８から切り離されている。
姿勢変更部１４は、口呼気誘導部７の一対の側部を結ぶ直線の周りに接続部分１３と対向部１２との間の距離を変更するように、接続部分１３近傍を切り欠いて形成されている。具体的には、姿勢変更部１４は、接続部分１３と対向部１２との間を上下方向Ｙと前後方向ＺにＬ字状に切り欠くように形成されている。換言すると、姿勢変更部１４は、接続部分１３と対向部１２との間を開閉する切欠き形状を有することにより、口呼気誘導部７の一対の側部を結ぶ直線を仮想の回転軸として、接続部分１３との間の距離を変更するように対向部１２の姿勢を変化させる。
【００２０】
図３に示すように、鼻呼気誘導部６には、鼻孔Ｎからの呼気Ｂを保持部材５に向かって導く鼻側誘導路６ａが形成されている。また、口呼気誘導部７には、口Ｍから対向部１２に吐き出された呼気Ｂを保持部材５に向かって導く口側誘導路７ａが形成されている。さらに、保持部材５には、鼻側誘導路６ａおよび口側誘導路７ａにそれぞれ連通する連通路５ａが形成されている。これにより、鼻孔Ｎから吐き出された呼気Ｂが鼻側誘導路６ａを介して連通路５ａに導かれると共に口Ｍから吐き出された呼気Ｂが口側誘導路７ａを介して連通路５ａに導かれることになる。
【００２１】
保持部材５は、図４に示すように、背板部１５の中央部から前方に柱状に突出する柱部１６と、背板部１５の上部および下部から柱部１６を挟むように前方に張り出した一対の張出部１７ａおよび１７ｂと、張出部１７ｂから下方に突出するように形成された支持部１８と、支持部１８の下部から前方に突出する突出部１９とを有する。
【００２２】
柱部１６は、図示しないセンサＳが両側部を挟むように装着されるもので、内部に形成された連通路５ａを流通する呼気Ｂを測定するための窓部１６ａが両側部に形成されている。センサＳは、例えば、窓部１６ａに向かって赤外線などを出力し、窓部１６ａを透過した赤外線量の変化に基づいて呼気Ｂに含まれる二酸化炭素の濃度を測定する。
一対の張出部１７ａおよび１７ｂは、図示しないセンサＳを上下方向Ｙから支持するもので、センサＳを上下方向Ｙに挟むように配置されている。
【００２３】
支持部１８は、対向部１２の姿勢を支持するもので、口呼気誘導部７の口側誘導路７ａ内に延びて対向部１２の裏面に対向するように配置されている。支持部１８は、対向部１２の裏面に沿って前方にＵ字状に湾曲するように形成され、その両側部にそれぞれ下固定部１１ｄが設けられている。
突出部１９は、左右方向Ｘにおいて支持部１８の中央部に配置され、支持部１８から対向部１２の裏面に向かって突出するように形成されている。また、突出部１９の中央部には、上部が下方に窪むように凹部２０が形成されている。
【００２４】
図５に示すように、対向部１２の裏面には、保持部材５の突出部１９に対応して窪んだ４つの受け部２１ａ，２１ｂ，２１ｃおよび２１ｄが形成されている。突出部１９が受け部２１ａ〜２１ｄに係合することにより対向部１２の姿勢が支持部１８に対して支持される。また、受け部２１ａ〜２１ｄは、上下方向Ｙに配列されており、突出部１９を異なる受け部２１ａ〜２１ｄに係合させることにより対向部１２の姿勢が段階的に変えられる。また、受け部２１ａ〜２１ｄのうち最も上側に位置する受け部２１ａには、突出部１９の凹部２０に係止するように突出する凸部２２が形成されている。
【００２５】
次に、この実施の形態の動作について説明する。
まず、図１に示すように、ネイザルアダプタ１が、固定バンド部３により生体の顔Ｆに固定される。このとき、ネイザルアダプタ１は、鼻呼気誘導部６が鼻孔Ｎ内に挿入されると共に口呼気誘導部７が口Ｍに対向するように固定される。
【００２６】
ここで、保持部材５は、取付部８の一部を覆うように配置されている。これにより、保持部材５は、取付部８を支持すると共に、取付部８を上下方向Ｙに挟むように配置された鼻呼気誘導部６と口呼気誘導部７も支持するため、可撓性材料から形成された鼻呼気誘導部６、口呼気誘導部７および取付部８の姿勢を維持することができる。このため、鼻呼気誘導部６、口呼気誘導部７および取付部８を可撓性材料で一体に形成することができ、構成部品を低減してネイザルアダプタ１を簡単な構成で形成することができる。また、鼻呼気誘導部６および口呼気誘導部７が、取付部８から外れて落下することを抑制することができる。さらに、口呼気誘導部７を可撓性材料から形成することにより、口呼気誘導部７が生体に接触した際に皮膚が損傷することを抑制することができる。
【００２７】
また、保持部材５は、鼻呼気誘導部６、口呼気誘導部７および取付部８より高い剛性を有するため、鼻呼気誘導部６、口呼気誘導部７および取付部８を強固に支持することができる。
また、保持部材５は、取付部８を上下方向Ｙに張るように取付部８の上部および下部を固定し、さらに取付部８を左右方向Ｘに張るように取付部８の右側部および左側部を固定するため、鼻呼気誘導部６、口呼気誘導部７および取付部８をより強固に支持することができる。
【００２８】
このようにして、鼻孔Ｎ内に挿入された鼻呼気誘導部６の姿勢が維持されると共に口Ｍに対向して配置された口呼気誘導部７の姿勢が維持される。続いて、図３に示すように、鼻孔Ｎから吐き出された呼気Ｂが鼻呼気誘導部６の鼻側誘導路６ａに導かれて保持部材５の連通路５ａに流入すると共に、口Ｍから吐き出された呼気Ｂが口側誘導路７ａに導かれて保持部材５の連通路５ａに流入する。そして、連通路５ａに流入した呼気に含まれる二酸化炭素の濃度がセンサＳにより測定される。
このとき、鼻呼気誘導部６および口呼気誘導部７の姿勢が維持されているため、鼻孔Ｎおよび口Ｍから吐き出された呼気Ｂを安定して連通路５ａに導くことができ、呼気Ｂに含まれる二酸化炭素の濃度を高精度に測定することができる。
【００２９】
ここで、被検者が口呼気誘導部７の対向部１２を口Ｍに近づけたい場合には、図６に示すように、口呼気誘導部７の一対の側部を結ぶ直線の周りに回動するように対向部１２の姿勢を変化させる。このとき、姿勢変更部１４が、口呼気誘導部７の一対の側部を結ぶ直線の周りに接続部分１３と対向部１２との間の距離を離すように、すなわち姿勢変更部１４が大きく開くように対向部１２の姿勢を変化させる。具体的には、姿勢変更部１４は、接続部分１３に対して姿勢変更部１４を前後方向Ｚに挟んで位置する対向部１２の前部側の距離変更部分１２ａを接続部分１３から離すことで対向部１２の姿勢を変化させる。
【００３０】
これにより、口呼気誘導部７を取付部８に一体に接続した状態で、対向部１２が口Ｍに近づくように対向部１２の姿勢を容易に変化させることができる。すなわち、接続部分１３を大きな力で折り曲げることなく、姿勢変更部１４を開くだけで対向部１２の姿勢を変化させることができる。
このように、簡単な構成で、取付部８に一体に接続された対向部１２の姿勢を容易に変化させることができる。また、姿勢変更部１４は、接続部分１３と対向部１２との間をＬ字状に切り欠くように形成されているため、その切欠き部分を前後方向Ｚだけでなく上下方向Ｙにも大きく開くことができ、対向部１２の姿勢を大きく変化させることができる。
【００３１】
このようにして、口Ｍと対向部１２との間の距離を変化させることにより、対向部１２が口Ｍおよびその周辺に接触して被検者が不快を感じることを抑制することができる。また、口Ｍの形状に応じて対向部１２の姿勢を変化させることにより、口Ｍから吐き出される呼気Ｂが対向部１２の外側に流出することを抑制することができる。例えば、上唇が下唇より突出している被検者の場合には、対向部１２の姿勢を変えないままでは対向部１２の下部が下唇から離れてしまうため、口Ｍから吐き出された呼気Ｂが対向部１２の下側から流出するおそれがある。このため、対向部１２の下部が下唇に近づくように姿勢を傾斜させることにより、口Ｍから吐き出された呼気Ｂを対向部１２内に確実に流入させることができる。
【００３２】
さらに、図４に示すように、保持部材５の支持部１８には、突出部１９が設けられている。また、対向部１２の裏面には、図５に示すように、４つの受け部２１ａ〜２１ｄが形成されている。対向部１２の姿勢を変化させていない場合には、突出部１９は、受け部２１ｄに係合しているが、図６に示すように、対向部１２の姿勢を傾斜させると異なる受け部２１ｂに係合する。これにより、対向部１２の姿勢が支持部１８に支持されるため、様々な口Ｍの形状に応じて対向部１２の姿勢を段階的に変化させることができる。
【００３３】
ここで、対向部１２の姿勢をさらに大きく傾斜させると、保持部材５の突出部１９が受け部２１ａより上側に移動して係合が外れるおそれがある。そこで、図７に示すように、受け部２１ａ〜２１ｄのうち最も上側に位置する受け部２１ａには、凸部２２が形成されており、この凸部２２が突出部１９の凹部２０に係止することにより、突出部１９が受け部２１ａより上側に移動することを抑制することができる。これにより、対向部１２の姿勢が無制限に大きく傾斜することを抑制し、対向部１２が支持部１８から外れることを抑制することができる。
【００３４】
続いて、突出部１９が受け部２１ｄに係合するように対向部１２の姿勢を戻すと、図３に示すように、対向部１２の上縁部が保持部材５の支持部１８に当接する。これにより、対向部１２の姿勢が口Ｍから離れる方向に大きく変化することを抑制することができる。
このようにして、対向部１２を所望の姿勢で維持しつつ、鼻孔Ｎおよび口Ｍから吐き出された呼気に含まれる二酸化炭素の濃度を順次測定することができる。
【００３５】
本実施の形態によれば、姿勢変更部１４が、接続部分１３と対向部１２との間の距離を変更するように接続部分１３近傍を切り欠いて形成されるため、簡単な構成で対向部１２の姿勢を変化させることができる。
【００３６】
実施の形態２
上記の実施の形態１では、姿勢変更部１４は、口呼気誘導部７の一対の側部を結ぶ直線の周りに接続部分１３と対向部１２との間の距離を変更するように接続部分１３近傍を切り欠いて形成されたが、接続部分１３と対向部１２との間の距離を変更して対向部１２の姿勢を変化させることができればよく、切り欠いて形成されたものに限られるものではない。
【００３７】
例えば、図８に示すように、実施の形態１の姿勢変更部１４に換えて姿勢変更部２３を配置することができる。この姿勢変更部２３は、口呼気誘導部７の一対の側部を結ぶ直線の周りに接続部分１３と対向部１２との間を伸縮させる蛇腹形状を有する。
【００３８】
このような構成により、口呼気誘導部７の対向部１２を口Ｍに近づけたい場合には、対向部１２の姿勢を口Ｍ側へ傾斜するように変化させる。このとき、姿勢変更部２３が、口呼気誘導部７の一対の側部を結ぶ直線の周りに接続部分１３と対向部１２との間の距離を離すように、すなわち姿勢変更部２３が伸長するように対向部１２の姿勢を変化させる。具体的には、姿勢変更部２３は、接続部分１３に対して姿勢変更部２３を上下方向Ｙに挟んで位置する対向部１２の前部側の距離変更部分１２ａを接続部分１３から離すように伸長させることで対向部１２の姿勢を変化させる。これにより、口呼気誘導部７を取付部８に一体に接続した状態で、対向部１２が口Ｍに近づくように対向部１２の姿勢を容易に変化させることができる。
【００３９】
本実施の形態によれば、姿勢変更部２３が、口呼気誘導部７の一対の側部を結ぶ直線の周りに接続部分１３と対向部１２との間を伸縮させる蛇腹構造を有するため、簡単な構成で対向部１２の姿勢を変化させることができる。
なお、上記の実施の形態１において、本実施の形態の姿勢変更部２３を新たに追加することもできる。すなわち、ネイザルアダプタ１は、本実施の形態の姿勢変更部２３と実施の形態１の姿勢変更部１４を共に形成することができる。さらに、ネイザルアダプタ１は、本実施の形態の姿勢変更部２３と、実施の形態１の突出部１９および受け部２１ａ〜２１ｄとを共に形成することもできる。
【００４０】
実施の形態３
上記の実施の形態１および２では、支持部１８は、保持部材５に配置されたが、対向部１２を支持することができればよく、保持部材５に限られるものではない。
【００４１】
例えば、図９に示すように、実施の形態１の支持部１８に換えて支持部３１を配置することができる。なお、図９では、保持部材５を省略している。
支持部３１は、取付部８に一体に接続された板形状を有し、取付部８から口呼気誘導部７の口側誘導路７ａ内に延びて対向部１２の裏面に対向するように配置されている。すなわち、支持部３１は、取付部８から対向部１２の裏面に向かって下方に傾斜して延びるように形成されている。また、支持部３１の先端部には、実施の形態１と同様に、突出部１９が配置されている。
【００４２】
このような構成により、口呼気誘導部７の対向部１２を口Ｍに近づけたい場合には、対向部１２の姿勢を口呼気誘導部７の一対の側部を結ぶ直線の周りに回動するように変化させる。これにより、突出部１９が、対向部１２の裏面に形成された受け部２１ａ〜２１ｄに係合して、対向部１２の姿勢を段階的に変化させることができる。
【００４３】
本実施の形態によれば、支持部３１が、取付部８から口呼気誘導部７の口側誘導路７ａ内に延びて対向部１２の裏面に対向するように配置されるため、対向部１２の姿勢を支持することができる。
【００４４】
実施の形態４
上記の実施の形態１〜３では、取付部８は、センサＳを保持する保持部材５が取り付けられたが、鼻呼気誘導部６および口呼気誘導部７で導かれた呼気を測定するための測定用部材を取り付けることができればよく、保持部材５に限られるものではない。
【００４５】
例えば、図１０に示すように、実施の形態１の取付部８に換えて取付部４１を配置すると共に保持部材５に換えて案内部４２を配置し、さらに一対の鼻カニューラ２に換えて一対の測定用部材４３を配置することができる。
取付部４１は、左右方向Ｘに延びるように配置され、その中央部を覆うように案内部４２が取り付け可能に形成されている。また、取付部４１は、左右の側部に測定用部材４３を取り付け可能に形成されている。取付部４１の内部には、測定用部材４３に接続された取付側誘導路４１ａが形成されている。
【００４６】
案内部４２は、鼻呼気誘導部６の鼻側誘導路６ａおよび口呼気誘導部７の口側誘導路７ａで導かれた呼気Ｂを測定用部材４３側に案内するもので、鼻側誘導路６ａおよび口側誘導路７ａを取付側誘導路４１ａに連通する連通路４２ａが形成されている。また、案内部４２は、実施の形態１の保持部材５と同様に、取付部４１の中央部を覆うように取付部４１に取り付けられている。
測定用部材４３は、取付側誘導路４１ａから流入する呼気Ｂを図示しない外部装置に導くものでチューブ形状を有する。測定用部材４３は、一端部が取付部４１の左右の側部に取り付けられ、他端部が外部装置に接続されている。外部装置は、例えば、呼気Ｂに含まれる二酸化炭素の濃度を測定するものを用いることができる。
【００４７】
このような構成により、鼻側誘導路６ａおよび口側誘導路７ａで導かれた呼気Ｂが、連通路４２ａ、取付側誘導路４１ａおよび測定用部材４３の内部を流通して外部装置に到達し、呼気Ｂに含まれる二酸化炭素の濃度が外部装置により順次測定される。
【００４８】
本実施の形態によれば、呼気Ｂを外部装置に導く測定用部材４３が取付部４１に取り付けられるため、呼気Ｂに含まれる二酸化炭素の濃度を外部装置で順次測定することができる。
【００４９】
なお、上記の実施の形態１〜４では、ネイザルアダプタ１は、鼻呼気誘導部６、取付部、口呼気誘導部７および測定用部材から構成されたが、取付部に口呼気誘導部７が一体に接続されていればよく、これに限られるものではない。例えば、ネイザルアダプタ１は、取付部と口呼気誘導部７から構成することができる。
【００５０】
また、上記の実施の形態１〜４では、支持部に突出部１９が設けられると共に対向部１２の裏面に突出部１９に対応して窪んだ受け部２１ａ〜２１ｄが設けられたが、突出部が受け部に係合することにより対向部１２の姿勢を支持部に支持させることができればよく、これに限られるものではない。例えば、対向部１２の裏面に支持部に向かって突出する４つの突出部を設けると共に支持部に突出部に対応して窪んだ受け部を設けることもできる。
【００５１】
また、上記の実施の形態１〜４では、対向部１２の裏面に４つの受け部２１ａ〜２１ｄが設けられたが、突出部１９が受け部に係合することにより対向部１２の姿勢を支持部に支持させることができればよく、４つに限られるものではない。例えば、対向部１２の裏面に１つの受け部を設けることもできる。
【符号の説明】
【００５２】
１  ネイザルアダプタ、２  一対の鼻カニューラ、３  固定バンド部、４  アダプタ本体、５  保持部材、５ａ，４２ａ  連通路、６  鼻呼気誘導部、６ａ  鼻側誘導路、７  口呼気誘導部、７ａ  口側誘導路、８，４１  取付部、９ａ，９ｂ  ガス供給部、１０ａ〜１０ｄ  取付孔、１１ａ  右固定部、１１ｂ  左固定部、１１ｃ  上固定部、１１ｄ  下固定部、１２  対向部、１２ａ  距離変更部分、１３  接続部分、１４，２３  姿勢変更部、１５  背板部、１６  柱部、１６ａ  窓部、１７ａ，１７ｂ  張出部、１８，３１  支持部、１９  突出部、２０  凹部、２１ａ〜２１ｄ  受け部、２２  凸部、４１ａ  取付側誘導路、４２  案内部、４３  測定用部材、Ｆ  顔、Ｎ  鼻孔、Ｍ  口、Ｓ  センサ、Ｂ  呼気、Ｘ  左右方向、Ｙ  上下方向、Ｚ  前後方向。
【図１】
2020092749.tif 000003
【図２】
2020092749.tif 000004
【図３】
2020092749.tif 000005
【図４】
2020092749.tif 000006
【図５】
2020092749.tif 000007
【図６】
2020092749.tif 000008
【図７】
2020092749.tif 000009
【図８】
2020092749.tif 000010
【図９】
2020092749.tif 000011
【図１０】
2020092749.tif 000012